(57)【特許請求の範囲】
【請求項１】
合成樹脂で射出成形されたトレー本体と、
合成樹脂で射出成形されて、前記トレー本体の前端に脱着可能で、垂直状に嵌合されたトレーフロントパネルとによって構成されたディスクトレーと、
ディスクドライブ装置本体のフロントパネルに開口されたトレー出入口から前記ディスクトレーを出し入れするローディング機構とを備えたディスクドライブ装置において、
前記トレー本体の前端に垂直状に一体成形されて、前記トレーフロントパネルが嵌合される嵌合壁部と、
前記トレーフロントパネルの後面に一体成形されて、前記嵌合壁部の上部及び左右両側部の外側に上方から嵌合されるほぼコ字状の嵌合枠部と、
前記嵌合枠部の上部及び左右両側部の後端部分の内側に複数のスライドコアによってアンダーカットされて下方に開放された複数の中空部を介して垂直状に一体成形された複数の嵌合係止部であって、前記嵌合枠部を前記嵌合壁部の上部及び左右両側部に上方から嵌合させた時に、前記複数の嵌合係止部が前記複数の中空部を介して前記嵌合壁部の上部及び左右両側部の後側に嵌合される複数の中空部及び複数の嵌合係止部と、
前記トレーフロントパネルの後面の下端近傍位置に沿った位置に一体成形された複数の係止部であって、前記嵌合枠部の前記複数の嵌合係止部を前記嵌合壁部の上部及び左右両側部の後側に嵌合させることによって、前記嵌合壁部の下端部の下側に係止される複数の係止部と、
前記トレーフロントパネルの後面で、前記嵌合枠部の上部及び左右両側部の外側に沿ってほぼコ字状に形成されて、前記ディスクトレーが前記ローディング機構によって前記ディスクドライブ装置本体内のローディング完了位置までローディングされた時に、前記フロントパネル前面でトレー出入口の外周の上部及び左右両側部にほぼコ字状に当接密着されるトレー引き込み位置規制用リブと、
前記トレーフロントパネルの合成樹脂による射出成形時に、前記複数の中空部をアンダーカットするための前記複数のスライドコアの垂直下方への抜き取りによって、前記トレーフロントパネルの後面の嵌合枠部の内側に垂直状に成形されて、下方に開放された複数のスライドコア抜き取り用切欠き部と、
前記複数のスライドコア抜き取り用切欠き部の下端部分を横切るように、前記トレーフロントパネルの後面の下端縁に沿って接着又は前記ディスクドライブ装置本体のフロントパネルにおける前記トレー出入口の外周の前面の下端縁に沿って接着された弾性部材であって、前記ディスクトレーが前記ローディング機構によって前記ディスクドライブ装置本体内のローディング完了位置までローディングされて、前記トレーフロントパネルの前記トレー引き込み位置規制用リブが前記ディスクドライブ装置のフロントパネルの前面に当接密着された時に、そのフロントパネルの前面の下端縁とトレーフロントパネルの後面の下端縁との間で弾性に抗して圧縮されて、前記複数のスライドコア抜き取り用切欠き部の下端から前記トレー出入口内への外気の流入を防止する弾性部材とを備えた
ことを特徴とするディスクドライブ装置。
【請求項２】
前記弾性部材がほぼ角柱形状に形成され、この弾性部材が両面テープによって前記トレーフロントパネルの後面の下端縁に沿って接着又は前記ディスクドライブ装置本体のフロントパネルにおける前記トレー出入口の外周の前面の下端縁に沿って接着される
ことを特徴とする請求項１に記載のディスクドライブ装置。
【請求項３】
１枚の剥離紙上に１枚の両面テープで接着された弾性部材基体をカッターによってその両面テープと共に一定間隔で平行状にカットすることによってほぼ角柱形状に形成された複数本の弾性部材が１枚の剥離紙上にそれぞれ両面テープによって接着されている構造の納品形態を提供する
ことを特徴とする請求項２に記載のディスクドライブ装置。
【発明の詳細な説明】
【０００１】
【発明の属する技術分野】
本発明は、ＣＤやＤＶＤ等の光ディスク等のディスク状記録媒体をディスクトレーによってローディング及びアンローディングするトレー方式の光ディスクドライブ装置に適用するのに最適なディスクドライブ装置に関し、特に、ディスクトレーのローディング完了状態での位置決め精度の向上と、トレー出入口の密封性の向上とを実現するための技術分野に属するものである。
【０００２】
【従来の技術】
従来から、トレー方式の光ディスクドライブ装置では、光ディスクドライブ装置本体のフロントパネルに横長の開口であるトレー出入口を形成し、光ディスクをディスクトレー上の凹所内に載置して、そのディスクトレーをローディング機構によってトレー出入口から光ディスクドライブ装置本体内にローディング（引き込み）及びアンローディング（引き出し）することによって、光ディスクのローディング（光ディスクを引き込んでスピンドルモータにチャッキングする動作）及びアンローディング（光ディスクをスピンドルモータからチャッキング解除して引き出す動作）を行っている。
この際、スピンドルモータに対する光ディスクのチャッキングを高精度に行うためには、ローディング完了状態でのディスクトレーの位置決め精度が重要であり、光ディスクの記録及び／又は再生中の防塵性を得るために、ディスクトレーのローディング完了状態でのトレー出入口の密封性が重要である。
【０００３】
そこで、トレー出入口の密封性の向上に関しては、本発明の発明者が先に出願して、特開平１０−３４０５１５号公報によって公開された第１の従来例であって、図３７及び図３８に示すように、ディスクトレー２０１の水平状のトレー本体２０２の前面に脱着可能で、垂直状に組立てられた細長いトレーフロントパネル２０３の後面２０３ａの後側で、トレー本体２０２の前端部分の外周に環状溝部２０４を形成し、その環状溝部２０４内にＯリング形状の環状弾性体２０５を巻き付けるように嵌合させたものがある。この環状弾性体２０５は剪断面形状が丸形で、エンドレス状であり、ゴムや柔軟な合成樹脂によって金型で成形されたものであり、この環状弾性体２０５は初期締め付け応力を与えられた状態で環状溝部２０４内に巻き付けられている。
そして、ディスクトレー２０１のローディング完了状態で、環状弾性体２０５を光ディスクドライブ装置本体２１１のフロントパネル２１２に開口されている横長の開口であるトレー出入口２１３の内周面２１２ａに弾性に抗して圧着させるようにして、トレー出入口２１３を密封している。
【０００４】
また、米国特許５，６２５，０７２号公報で公開された第２の従来例であって、図３９及び図４０に示すように、発泡ウレタンフォーム等の非常に柔軟な弾性部材で成形された細長い額縁形状の弾性部材２０６を光ディスクドライブ装置本体２１１のフロントパネル２１２に開口されているトレー出入口２１３の外周の凹部２１２ｂの幅Ｗの狭い額縁形状の前面２１２ｃに両面テープ２０７で接着して、ディスクトレー２０１のローディング完了状態で、ディスクトレー２０１のトレーフロントパネル２０３の後面２０３ａの外周をその額縁形状の弾性部材２０６の前面に弾性に抗して圧着させるようにして、トレー出入口２１３を密封している。
【０００５】
【発明が解決しようとする課題】
しかし、第１の従来例は、ディスクトレー２０１のローディング完了状態で、環状弾性体２０５をトレー出入口２１３の内周面２１２ａに圧着させる方式であり、また、第２の従来例は、ディスクトレー２０１のローディング完了状態で、額縁形状の弾性部材２０６をディスクトレー２０１のトレーフロントパネル２０３の後面２０３ａとフロントパネル２１２のトレー出入口２１３の外周の額縁形状の前面２１２ｃとの間で弾性的に圧着させる方式であるから、これらは何れも、ディスクトレー２０１の引き込み位置を機械的に高精度に規制することができない。
従って、ディスクトレー２０１の引き込み完了位置に僅かなバラツキが発生し易く、スピンドルモータに対する光ディスクのチャッキングミスが発生し易いという問題があった。
【０００６】
一方、これら第１及び第２の従来例は、何れも、ディスクトレー２０１のローディング完了状態でのトレー出入口２１３の密封性が高く、光ディスクの記録及び／又は再生中の高い防塵性が得られる。
しかし、第１の従来例は、Ｏリング形状の環状弾性体２０５を１本ずつ金型で成形しなければならず、製造コストが高くつく上に、その環状弾性体２０５にゴム等の柔軟性が高い素材が使用されていることから、組立て時に、その環状弾性体２０５をトレーフロントパネル２０３の後面２０３ａの後側の幅が狭い環状溝部２０４内に正確に巻き付けにくい。また、ディスクトレー２０１の繰り返しのローディング及びアンローディングによるフロントパネル２１２との摩擦動作によって、その剪断面形状が丸形の環状弾性体２０５が環状溝部２０４外へ脱落し易いと言う問題があった。
【０００７】
また、第２の従来例は、図４２に示すように、１枚の剥離紙２０８上に１枚の両面テープ２０７によって接着した方形状の弾性部材基体２０９の外周部分に細長い額縁形状の弾性部材２０６を両面テープ２０７と共にカッター（図示せず）でカット２０９ａした板上形態で納品される。そして、図４１に示すように、その弾性部材基体２０９の外周部分から額縁形状の弾性部材２０６を両面テープ２０７と共に剥ぎ取って、フロンとパネル２１２のトレー出入口２１３の幅Ｗの狭い額縁形状の前面２１２ｃに接着するように使用される。
従って、弾性部材基体２０９の面積の大部分を占めている額縁形状の弾性部材２０６の内側部分２０９ｂが廃材となってしまい、材料費の無駄が多く、コスト高につく。しかも、細長い額縁形状の弾性部材２０６をフロントパネル２１２の外周凹部２１２ｂの幅Ｗが狭い額縁形状の前面２１２ｃに両面テープ２０７によって接着する作業は大変面倒な作業であり、作業性に欠けると言う問題もあった。
【０００８】
本発明は、上記の問題を解決するためになされたものであって、トレー本体の前面にトレーフロントパネルをワンタッチで脱着可能に組み付けるための構造上の特性を有しているディスクトレーを使用し、ローディング完了状態でのディスクドライブ装置本体に対するディスクトレーの位置決め精度の向上を図ると共に、トレー出入口の密封性を簡単な構造で実現することができるディスクドライブ装置を提供することを目的としている。
【０００９】
【課題を解決するための手段】
上記の目的を達成するための本発明のディスクドライブ装置は、合成樹脂で射出成形されたトレー本体と、合成樹脂で射出成形されて、前記トレー本体の前端に脱着可能で、垂直状に嵌合されたトレーフロントパネルとによって構成されたディスクトレーと、ディスクドライブ装置本体のフロントパネルに開口されたトレー出入口から前記ディスクトレーを出し入れするローディング機構とを備えたディスクドライブ装置において、前記トレー本体の前端に垂直状に一体成形されて、前記トレーフロントパネルが嵌合される嵌合壁部と、前記トレーフロントパネルの後面に一体成形されて、前記嵌合壁部の上部及び左右両側部の外側に上方から嵌合されるほぼコ字状の嵌合枠部と、前記嵌合枠部の上部及び左右両側部の後端部分の内側に複数のスライドコアによってアンダーカットされて下方に開放された複数の中空部を介して垂直状に一体成形された複数の嵌合係止部であって、前記嵌合枠部を前記嵌合壁部の上部及び左右両側部に上方から嵌合させた時に、前記複数の嵌合係止部が前記複数の中空部を介して前記嵌合壁部の上部及び左右両側部の後側に嵌合される複数の中空部及び複数の嵌合係止部と、前記トレーフロントパネルの後面の下端近傍位置に沿った位置に一体成形された複数の係止部であって、前記嵌合枠部の前記複数の嵌合係止部を前記嵌合壁部の上部及び左右両側部の後側に嵌合させることによって、前記嵌合壁部の下端部の下側に係止される複数の係止部と、前記トレーフロントパネルの後面で、前記嵌合枠部の上部及び左右両側部の外側に沿ってほぼコ字状に形成されて、前記ディスクトレーが前記ローディング機構によって前記ディスクドライブ装置本体内のローディング完了位置までローディングされた時に、前記フロントパネル前面でトレー出入口の外周の上部及び左右両側部にほぼコ字状に当接密着されるトレー引き込み位置規制用リブと、前記トレーフロントパネルの合成樹脂による射出成形時に、前記複数の中空部をアンダーカットするための前記複数のスライドコアの垂直下方への抜き取りによって、前記トレーフロントパネルの後面の嵌合枠部の内側に垂直状に成形されて、下方に開放された複数のスライドコア抜き取り用切欠き部と、前記複数のスライドコア抜き取り用切欠き部の下端部分を横切るように、前記トレーフロントパネルの後面の下端縁に沿って接着又は前記ディスクドライブ装置本体のフロントパネルにおける前記トレー出入口の外周の前面の下端縁に沿って接着された弾性部材であって、前記ディスクトレーが前記ローディング機構によって前記ディスクドライブ装置本体内のローディング完了位置までローディングされて、前記トレーフロントパネルの前記トレー引き込み位置規制用リブが前記ディスクドライブ装置のフロントパネルの前面に当接密着された時に、そのフロントパネルの前面の下端縁とトレーフロントパネルの後面との間で弾性に抗して圧縮されて、前記複数のスライドコア抜き取り用切欠き部の下端から前記トレー出入口内への外気の流入を防止する弾性部材とを備えたものである。
【００１０】
上記のように構成された本発明のディスクドライブ装置は、合成樹脂で射出成形されたトレー本体の前端の垂直状の嵌合壁部の外側に、合成樹脂で射出成形されたトレーフロントパネルの後面のほぼコ字状の嵌合枠部を上方から嵌合させるだけで、その嵌合枠部の上部及び左右両側部の後端部分の内側の複数の嵌合係止部が下方に開放された複数の中空部を介して嵌合壁部の上部及び左右両側部の後側に嵌合されると共に、トレーフロントパネルの後面の下部の複数の係止部が嵌合壁部の下側に係止されて、トレーフロントパネルをトレー本体の前面にワンタッチで脱着可能に組み付けることができる。
そして、ローディング完了状態では、ディスクトレーのトレーフロントパネルの後面の嵌合枠部の上部と両側部の外側に沿ってほぼコ字状に形成されているディスクトレー引き込み位置規制用リブをディスクドライブ装置本体のフロントパネルのトレー出入口の外周の前面の上部及び左右両側部にほぼコ字状に当接密着させることにより、ディスクトレーの引き込み位置を機械的に高精度に規制することができる。
しかも、トレーフロントパネルの後面の下端縁に沿って接着又はディスクドライブ装置本体のフロントパネルにおけるトレー出入口の外周の前面の下端縁に沿って接着された弾性部材は、ローディング完了状態で、ディスクドライブ装置本体のフロントパネルの前面の下端縁と、ディスクトレーのトレーフロントパネルの後面の下端縁との間で弾性に抗して圧縮されて、複数のスライドコア抜き取り用切欠き部の下端（合成樹脂によるトレーフロントパネルの射出成形時に、トレーフロントパネルの後面の嵌合枠部の上部及び左右両側部の後端部分の内側に複数のスライドコアによってアンダーカットされた複数の中空部を介して複数の嵌合係止部を垂直状に一体成形するための、その複数のスラドコアの垂直下方への抜き取りによって嵌合枠部の内側に垂直状に成形されて下方に開放されている複数のスライドコア抜き取り用切欠き部の下端）を閉塞するので、その複数のスライドコア抜き取り用切欠き部からトレー出入口内への外気の流入を防止することができる。
【００１１】
【発明の実施の形態】
以下、本発明を適用した光ディスクドライブ装置の実施の形態を図１〜図３６によって、下記の順序で説明する。
（１）・・・  ディスクトレーのディスクトレー本体に対してフロントパネルをワンタッチで組み付けるための嵌合構造の説明
（２）・・・  ディスクトレーの引き込み位置を機械的に高精度に規制する構造及びトレー出入口の密封構造の第１の実施の形態の説明
（３）・・・  トレー出入口の密封構造の第２の実施の形態の説明
（４）・・・  弾性部材基体の説明
（５）・・・  光ディスクドライブ装置全体の説明
【００１２】
（１）・・・  ディスクトレーのディスクトレー本体に対してフロントパネル部をワンタッチで組み付けるための嵌合構造の説明
図１〜図１１に示すように、ディスクトレー７は、ＡＢＳ樹脂等の合成樹脂によって金型で射出成形された水平状のディスクトレー本体７ａと、同じく、ＡＢＳ樹脂等の合成樹脂によって金型で射出成形された横長形状で、垂直状のトレーフロントパネル７ｂとによって構成されている。そして、水平状のトレー本体７ａの前端面には横長形状で方形状の嵌合壁部１７１が垂直状に一体成形されている。
【００１３】
そして、垂直状のトレーフロントパネル７ｂの前面１７２は上下方向に湾曲された円弧状に形成されていて、後面１７３には、トレー本体７ａの嵌合壁部１７１の上部１７１ａ及び左右両側部１７１ｂの外側に上方から嵌合されるほぼコ字状の嵌合枠部１７４が一体成形されている。
そして、この嵌合枠部１７４の上部１７４ａのほぼ中央部の後端部分の内側と、左右両側部１７４ｂの上端側で、後端部分の内側には複数（合計３つ）の嵌合係止部１７５、１７６が一体成形されている。
そして、トレーフロントパネル７ｂの後面１７３の下端近傍位置に沿った位置に複数（２個）の係止部１７７が横一列状に一体成形されている。
【００１４】
そして、トレーフロントパネル７ｂの後面１７３で、嵌合枠部１７４の上部１７４ａ及び左右両側部１７４ｂの外側に沿ってほぼコ字状のトレー引き込み位置規制用リブ１７８が一体成形されている。なお、このリブ１７８の後方への突出高さは、嵌合枠部１７４の後方への突出高さより小さく設定されている。
そして、トレーフロントパネル７ｂの後面１７３で、ほぼコ字状の嵌合枠部１７４の内側には、その嵌合枠部１７４の後方への突出高さより小さい後方への突出高さの複数の垂直状リブ１７９と上下２列状の水平状リブ１８０とが一体成形されている。そして、これら複数の垂直状リブ１７９及び水平状リブ１８０の後端面と、複数の嵌合係止部１７５、１７６の前端面との間に、嵌合壁部１７１の上部１７１ａ及び左右両側部１７１ｂが下方から垂直状に嵌合される中空部１８１がアンダーカット加工されている。
【００１５】
ところで、このような形状のトレーフロントパネル７ｂを金型で射出成形する際、嵌合枠部１７４の後端部分の内側に配置されている複数の嵌合係止部１７５、１７６が存在していなければ、このトレーフロントパネル７ｂを前後方向等に離型（二つ割りされること）される金型によって簡単に射出成形することが可能になる。
しかし、嵌合枠部１７４の外側にはディスクトレー引き込み位置規制用リブ１７８を射出成形し、かつ、嵌合枠部１７４の後端部分の内側に複数の中空部１８１を介して複数の嵌合係止部１７５、１７６をアンダーカット加工方法によって射出成形するためには、図８及び図９に１点鎖線で示すように、複数の嵌合係止部１７５、１７６とトレーフロントパネル７ｂの後面１７３との間に複数のスライドコア１８２をその後面１７３と平行状に挿入した金型を使用しなければならず、しかも、その複数のスライドコア１８２の金型（キャビティ）に対する抜き取り方向は垂直下方（矢印Ｘ方向）のみに限定されてしまう。
従って、複数のスライドコア１８２を用いた金型によって、このトレーフロントパネル７ａを射出成形すると、複数のスライドコア１８２の垂直下方（矢印Ｘ方向）への抜き取りによって、トレーフロントパネル７ｂの後面１７３に複数のスライドコア抜き取り用切欠き部１８３が垂直状に成形されてしまい、これら複数のスライドコア抜き取り用切欠き部１８３の下端１８３ａは下側の水平状リブ１８０を貫通して下方に開放されることになる。
【００１６】
そして、このような形状のトレーフロントパネル７ｂは、トレー本体７ａの前端面の嵌合壁部１７１にワンタッチで組み付けることができる。
即ち、図１０に実線で示すように、トレーフロントパネル７ｂの後面１７３の嵌合枠部１７４の内側で、複数の嵌合係止部１７５、１７６の前端面と複数の垂直状リブ１７９及び水平状リブ１８０の後端面との間の垂直状の中空部１８１内に、トレー本体７ａの嵌合壁部１７１の上部１７１ａ及び左右両側部１７１ｂを相対的に挿入させるようにして、トレーフロントパネル７ｂ及び嵌合壁部１７１の弾性を利用して、トレーフロントパネル７ｂのほぼコ字状の嵌合枠部１７４をトレー本体７ａの嵌合壁部１７１の上部１７１ａ及び左右両側部１７１ｂに上方から嵌合させて、複数の嵌合係止部１７５、１７６を複数の中空部１８１によって嵌合壁部１７１の上部１７１ａのほぼ中央部及び左右両側部１７１ｂの後側に上方から挿入する。
【００１７】
この時、図１０に実線で示すように、トレーフロントパネル７ｂの下端縁の近傍位置に沿って水平状に配置されている複数の係止部１７７が嵌合壁部１７１の前面１７１ｄ上に乗り上げて、トレーフロントパネル７ｂが弾性に抗して左右方向の弓なり形状に撓み、複数の係止部１７７はそのままその嵌合壁部１７１の前面１７１ｄ上を下方へスライドする。
そして、図１０に１点鎖線で示すように、嵌合枠部１７４の上部１７４ａが嵌合壁部１７１の上部１７１ａに当接されて停止され、複数の嵌合係止部１７５、１７６が嵌合壁部１７１の上部１７１ａのほぼ中央部及び左右両側部１７１ｂの後側に完全に挿入された瞬間に、トレーフロントパネル７ｂの下端側の複数の係止部１７７が嵌合枠部１７４の下方に外れる。
【００１８】
すると、その瞬間に、トレーフロントパネル７ｂが弓なり形状から元の平面形状に自動的に弾性復帰して、複数の係止部１７７が嵌合壁部１７１の下部１７１ｃに自動的に係止されて、以後、トレーフロントパネル７ｂが嵌合壁部１７１から上方に抜け落ちることができなくなる。そして、フロントパネル７ｂが元の平面形状に弾性復帰したことによって、その後面１７３上の複数の垂直状リブ１７９及び水平状リブ１８０と、嵌合枠部１７４の複数の嵌合係止部１７５、１７６との間で、嵌合壁部１７１の前後両面１７１ｄ、１７１ｅが前後から弾性的に挟み付けられる。
これにより、トレーフロントパネル７ｂがトレー本体７ａの前面に上下、左右及び前後にガタツキの全くない状態に、ワンタッチで組み付けられる。
【００１９】
しかし、このように、トレーフロントパネル７ｂの後面１７３のほぼコ字状の嵌合枠部１７４の上部１７４ａ及び左右両側部１７４ｂの内側に複数の嵌合係止部１７５、１７６を複数のスライドコア１８２によって複数の中空部１８１を介してアンダーカット加工した形状のトレーフロントパネル７ｂでは、図８、図９及び図１１に示すように、トレーフロントパネル７ｂの後面１７３に形成された複数のスライドコア抜き取り用切欠き部１８３の下端１８３ａが下方に開放されていることから、トレー出入口６の密封性が非常に悪くなる。
即ち、図１１に示すように、ディスクトレー７が後述するように、光ディスクドライブ装置本体２内に矢印ａ方向にローディング完了された状態で、トレー本体７ａの後面１７３の下端部分に複数のスライドコア抜き取り用切欠き部１８３の下端１８３ａが開放されているために、光ディスクＤの記録及び／又は再生中に外気ＡＲが、その複数のスライドコア抜き取り用切欠き部１８３の下端１８３ａからトレー出入口６の下側部分を通って光ディスクドライブ装置本体２内に容易に流入する。そして、その外気ＡＲ中の塵埃等が光ディスクＤ等に付着して、ドロップアウトを招くと言う不都合を発生してしまう。
【００２０】
そこで、この光ディスクドライブ装置１では、上記したように、トレー本体７ａの前面にトレーフロントパネル７ｂをワンタッチで脱着可能に組み付けるための構造上の特性を有しているディスクトレー７を使用し、ローディング完了状態での光ディスクドライブ装置本体２に対するディスクトレー７の位置決め精度の向上を図ると共に、トレー出入口６の密封性を簡単な構造で実現することができる光ディスクドライブ装置１を提供することを目的としていて、以下、その実施の形態を説明する。
【００２１】
（２）・・・  ディスクトレー引き込み位置を機械的に高精度に規制する構造及びトレー出入口の密封構造の第１の実施の形態の説明
図１〜図４に示すように、この第１の実施の形態では、まず、トレーフロントパネル７ｂの後面１７３で、嵌合枠部１７５の上部１７５ａ及び両側部１７４ｂの外側に沿って前述したほぼコ字状のトレー引き込み位置規制用リブ１７８が一体成形されている。
次に、図１〜図４に示すように、ほぼ角柱形状に形成された弾性部材１８５を両面テープ１８６によってトレーフロントパネル７ｂの後面１７３の下端縁（下部の水平状リブ１８０より下の水平領域を言う）１７３ａに沿って、トレー引き込み位置規制用リブ１７８の左右両側部１７８ａの下端部間に亘って水平状に接着し、前述したトレーフロントパネル７ｂの後面１７３における複数のスライドコア抜き取り用切欠き部１８３の下端１８３ａを、この弾性部材１８５によって閉塞する。そして、この弾性部材１８５は複数の垂直状リブ１７９及び水平状リブ１８０より後方への突出高さＨ1より大きな厚みＨ2に設定されている。
【００２２】
従って、図１に示すように、後述するローディング機構によってディスクトレー７が光ディスクドライブ装置本体２内に矢印ａ方向にローディング完了された時に、トレーフロントパネル７ｂの嵌合枠部１７４が光ディスクドライブ装置本体２のフロントパネル４の内に挿入され、トレーフロントパネル７ｂのほぼコ字状のトレー引き込み位置規制用リブ１７８がフロントパネル４のトレー出入口６の外周に形成されている外周凹部４ａの前面４ｂのほぼコ字状の領域に矢印ａ方向から当接密着されて、そのトレー引き込み位置規制用リブ１７８によってディスクトレー７の矢印ａ方向への引き込み位置が機械的に高精度に規制される。
従って、後述するような、ディスクトレー７ｂのローディング完了に引き続く、スピンドルモータへの光ディスクのチャッキングをミスなく確実に実行することができる。
【００２３】
そして、図１に示すように、このディスクトレー７ｂのローディング完了状態では、フロントパネル４のトレー出入口６内に挿入されたトレーフロントパネル７ｂの後面１７３の下端縁１７３ａに沿って接着されている弾性部材１８５がフロントパネル４の外周凹部４ａの前面４ｂの下端縁４ｃに弾性に抗して圧着、圧縮される。
そして、この弾性部材１８５は、トレーフロントパネル７ｂの後面１７３における複数のスライドコア抜き取り用切欠き部１８３の下端１８３ａを閉塞していることから、この弾性部材１８５がフロントパネル７ｂの後面１７３とフロントパネル４の前面４ｂの下端縁４ｃとの間で前後両側から弾性に抗して圧着されることによって、トレー出入口６の外周がトレー引き込み位置規制用リブ１７８と弾性部材１８５とによって密封されて、図１に点線で示すように、外気ＡＲが複数のスライドコア抜き取り用切欠き部１８３を通ってトレー出入口６内へ流入されることを完全に防止することができる。
従って、後述する光ディスクの記録及び／又は再生中に、外気ＡＲ中の塵埃が、その複数のスライドコア抜き取り用切欠き部１８３を通ってトレー出入口６から光ディスクドライブ装置本体２内に流入されて、光ディスク等に付着し、ドロップアウト等を招くことを未然に防止することができて、光ディスクの記録及び／又は再生の特性を著しく向上させることができる。
【００２４】
なお、弾性部材１８５を両面テープ１８６によってトレーフロントパネル７ｂの後面１７３の下端縁１７３ａに沿って接着する作業は、通常、図３及び図４に示すように、トレーフロントパネル７ｂをトレー本体７ａの前面に組み付ける作業の前に実行されるので、その弾性部材１８５の接着作業は非常に簡単に行える。但し、トレーフロントパネル７ｂをトレー本体７ａの前面に前述したように組み付けた後においても、弾性部材１８５を両面テープ１８６によってトレーフロントパネル７ｂの後面１７３の下端縁に沿って比較的簡単に接着することが可能である。
【００２５】
（３）・・・  トレー出入口の密封構造の第２の実施の形態の説明
図５に示すように、この第２の実施の形態では、光ディスクドライブ装置本体２のフロントパネル４における外周凹部４ａの前面４ｂの下端縁４ｃで、トレーフロントパネル７ｂの後面１７３における下端縁１７３ａと対向する位置に弾性部材１８５を両面テープ１８６によって水平状に接着したものである。
従って、この第２の実施の形態においても、前述した第１の実施の形態と同様に、ディスクトレー７の光ディスクドライブ装置本体２内への矢印ａ方向からのローディング完了状態では、弾性部材１８５がフロントパネル４の前面４ｂと、トレーフロントパネル７ｂの後面１７３との間で前後両側方から弾性に抗して圧着されて、トレー出入口６の外周が密封されることになる。
【００２６】
（４）・・・  弾性部材基体の説明
次に、図６及び図７に示すように、ほぼ角柱形状に形成された弾性部材１８５の納品形態は、１枚の剥離紙１８７上に１枚の両面テープ１８６によって接着された弾性部材基体１８８をカッター（図示せず）によってその両面テープ１８６と共に（但し、剥離紙１８７を除く深さまで）、一定間隔で平行状にカット１８９された形態であり、ほぼ角柱形状に形成された複数本の弾性部材１８５が１枚の剥離紙１８７上にそれぞれ小幅の両面テープ１８６によって接着されている構造となっている。
【００２７】
従って、弾性部材１８５をトレーフロントパネル７ｂの後面１７３の下端縁１７３ａやフロントパネル４の前面４ｂの下端縁４ｃに沿って水平状に接着する際には、納品された弾性部材基体１８８から弾性部材１８５を１本ずつ、両面テープ１８６と一体に剥離してトレーフロントパネル７ｂやフロントパネル４に順次貼り付ければ良く、その貼り付け作業を非常に効率よく行える。
そして、その納品形態によれば、剥離紙１８７上の弾性部材基体１８８を単にカッターによって平行状にカットするだけで、複数本の弾性部材１８５を作成することができるので、弾性部材１８５の作成に、図３７及び図３８に示した第１の従来の環状弾性体２０５のように金型で射出成形する必要が全くなく、製造コストを大幅にダウンすることができる。また、弾性部材基体１８８全体が複数本の弾性部材１８５の集合体となっていて、図４１及び図４２に示した第２の従来の額縁形状の弾性部材２０６のように廃棄する部分が全くないので、材料費の無駄が全くなく、非常に経済的である。このために、この弾性部材１８５では、例えば、図３７及び図３８に示した第１の従来例の環状弾性体１０５に比べて、１／３〜１／４の低価額で、安価に製造することが可能である。
【００２８】
なお、この弾性部材１８５の素材としては、マイクロセルポリマーシートであって、ＰＯＲＯＮ（イノアックコーポレーションの商品名）が最適であり、この素材は、低反発性（低圧縮応力にて曲面や凹凸面への追従性に優れていること）、薄さ＋柔らかさ＋剛性感（薄く、柔らかな素材ながら、適度な剛性感を有し、加工性、作業性に優れていること）、高衝撃吸収性（衝撃や振動に対する吸収性に優れ、防振性も有していること）、圧縮残留歪（通常の発泡体のようなヘタリが殆んどないこと）、高いシール性（追従性により長期間に亘り、安定したシール性を維持すること）、寸法安定性（高応力、高歪条件に対しても更に寸法安定性に優れていること）、非汚染性（可塑剤を含んでいないことにより、他素材への汚染等が極めて小さいこと）等の優れた特性を有している。
【００２９】
（５）・・・  光ディスクドライブ装置全体の説明  次に、図１２〜図３６によって、光ディスクドライブ装置１全体について説明する。
まず、図２７〜図３６によって、ディスクドライブ装置である光ディスクドライブ装置１の概要について説明すると、図２７及び図２８に示すように、この光ディスクドライブ装置１の光ディスクドライブ装置本体２は、板金でプレス加工されたメインシャーシ３と、合成樹脂で成形されたフロントパネル４と、板厚が薄めの板金で形成された上カバー５とによって扁平な箱型に構成されている。そして、フロントパネル４の上部側に形成された横長の開口であるトレー出入口６から矢印ａ、ｂ方向に水平状に出し入れされるディスクトレー７によってディスク状記録媒体である光ディスクＤが光ディスクドライブ装置本体２内に矢印ａ、ｂ方向にローディング及びイジェクトされるように構成されている。そして、フロントパネル４の下部側にはメモリスティック（ソニー株式会社の商品名）等のフラッシュメモリが内蔵されたカード型記録媒体の挿入口８、イジェクト釦９、ボリューム１０、ヘッドホンジャック１１、イマージェンシーイジェクト用穴１２、動作状態表示用ＬＥＤ（発光ダイオード）１３等が配置されている。
【００３０】
そして、図２９に示すように、メインシャーシ３は鉄板等の厚手の板金でプレス加工されたものであって、このメインシャーシ３には水平壁部３ａと、その水平壁部３ａの左右両側と後端から上方に垂直状に立ち上げられた左右一対の垂直壁部３ｂと後端側垂直壁部３ｃとが備えられていて、左右一対の水平壁部３ａの前端側が前端開放部３ｄによって開放されている。そして、その水平壁部３ａのほぼ中央部には方形状で大型の中央開口部３ｅが形成されている。また、水平壁部３ａの外周から下方に立ち下げられた複数のスタンド部３ｆも備えられている。
【００３１】
そして、このメインシャーシ３内に組み込まれるユニットや部品等としては、ローディング機構２１を構成するローディングギアユニット２２、スライドカム４１、昇降駆動フレーム５１、ピックアップユニットである光学ピックアップユニット６１やディスククランパーユニット９１等がある。そして、スライドカム４１、昇降駆動フレーム５１、光学ピックアップユニット６１のピックアップ搭載フレームであるユニットフレーム６２等はメインシャーシ３と同様に板金等の厚手の板金によってプレス加工されていて、ディスククランパーユニット９１のクランパー支持フレーム９２は板金等の薄手の板金でプレス加工されている。
【００３２】
ここで、光ディスクドライブ装置本体２の組立て順序について説明すると、まず、図２９及び図３０に示すように、メインシャーシ３の水平壁部３ａの前端側の搭載位置Ｐ１にローディングギアユニット２２を上方から嵌め込む。
この際、ローディングギアユニット２２は入力プーリ２３と、その入力プーリ２５にゴムベルト２４を介して連動されたギア付プーリ２５と、そのギア付プーリ２５に連動された減速ギアである中間ギア２６と出力ギアである全周ギア２７及び扇形ギア２８とによって構成されていて、これら入力プーリ２３、ギア付プーリ２５、中間ギア２６、全周ギア２７及び扇形ギア２８の合計５枚のギア部品をメインシャーシ３の水平壁部３ａ上の搭載位置Ｐ１上に垂直状に取り付けられているモータ軸２９及び３本の支軸３１、３２、３３に上方から挿入するように嵌め込む。この際、全周ギア２７と扇形ギア２８は同一の支軸３３に上下２段に重ねられて嵌め込まれている。なお、モータ軸２９とは水平壁部３ａの下部にネジ止めされたローディングモータ３０のモータ軸である。
【００３３】
次に、図３０〜図３２に示すように、スライドカム４１をローディングギアユニット２２の上部に上方から嵌め込んで、その一部をメインシャーシ３の中央開口部３ｅ内の前端側に挿入する。
この際、スライドカム４１は水平板部４１ａとその水平板部４１ａの後端から下方に垂直状に折り曲げられた垂直板部４１ｂとによって側面形状がＬ型に形成されている。
【００３４】
そこで、このスライドカム４１の水平板部４１ａに形成された合計３本のガイド溝４２を水平板部４１ａ上に垂直状に切り起された２本のガイド突起４３と１本の支軸３１の上端に上方から嵌合させて、垂直板部４１ｂを中央開口部３ｅ内の前端側に垂直状に挿入する。すると、このスライドカム４１は２本のガイド突起４３と１本の支軸３１の上端部分に形成されている溝部４４で水平状に支持されて、ディスクトレー７のローディング及びアンローディング方向である矢印ａ、ｂ方向に対して直角な横方向である矢印ｃ、ｄ方向に水平にスライド自在に組み立てられる。そして、図２１〜図２６に示すように、このスライドカム４１の垂直板部４１ｂの一端側の前面に一体にプレス加工されたラック４５がローディングギアユニット２２の全周ギア２６の下部の扇形ギア２８に噛合可能になる。なお、このスライドカム４１の水平板部４１ａの左右両端部分の上部には左右一対のガイドピン４６が垂直状に固着されていて、図２２及び図２５に示すように垂直板部４１ｂにはほぼＺ形の左右一対のカム溝４７が平行状に形成されている。
【００３５】
次に、図３１及び図３２に示すように、昇降駆動フレーム５１を中央開口部３ｅの前端側の組込み位置Ｐ２に嵌め込んで、その昇降駆動フレーム５１をメインシャーシ３に上下方向である矢印ｃ、ｄ方向に回動自在に取り付けると共に、スライドカム４１で昇降駆動フレーム５１をその矢印ｅ、ｆ方向に駆動できるように連結する。
この際、この昇降駆動フレーム５１は、水平板部５１ａと、その水平板部５１ａの左右両側から後方へ平行状に延出された左右両側アーム部５１ｂと、その水平板部５１ａの前端から上方に垂直状に立ち上げられた高さが低い前端縁部５１ｃとによって平面形状がほぼコ字状に形成されている。そして、左右両側アーム部５１ｂの後端部の左右両側と、前端側の左右両側とにそれぞれ同一中心状に配置された左右各一対の支点ピン５２とガイドピン５３が水平状に突設されている。そして、前端縁部５１ｃの前面には左右一対のカム従動ピン５４が水平状に突設されている。
【００３６】
そこで、左右一対の支点ピン５２とガイドピン５３をメインシャーシ３の中央開口部３ｅの左右両側から下方に垂直状に立ち上げられている左右一対の内側垂直壁部３ｇに形成されている左右一対の支点ピン嵌合穴５５と、左右一対の円弧状ガイド溝５６に嵌め込んで、昇降駆動フレーム５１をメインシャーシ３にその左右一対の支点ピン５２を中心に上下方向である矢印ｃ、ｄ方向に回動自在に取り付ける。
そして、この後、後述するように、左右一対のカム従動ピン５４をスライドカム４１の垂直板部４１ｂに形成されている左右一対のほぼＺ形のカム溝４７の上端部４７ａ内に挿入して係合させる。
【００３７】
すると、スライドカム４１の矢印ｃ、ｄ方向のスライド運動によって左右一対のカム従動ピン５４が左右一対のカム溝４７によって上下方向である矢印ｅ、ｆ方向に昇降駆動されて、昇降駆動フレーム５１が左右一対の支点ピン５２を中心に中央開口部３ｅ内で矢印ｅ、ｆ方向に昇降駆動されるように、これらスライドカム４１と昇降駆動フレーム５１とが連結される。
【００３８】
次に、図３２及び図３３に示すように、光学ピックアップユニット６１のユニットフレーム６２の後端部６２ａと前端部６２ｂの左右両側部に形成されている左右各一対、合計４つのインシュレータ嵌合部６３に、ゴム等の弾性部材によってほぼダルマ形状に成形されているそれぞれ左右一対、合計４つのインシュレータ６４、６５をこれらの中間部によって垂直状に嵌合させる。そして、後端側の左右一対のインシュレータ６４の中心に上方から挿通した左右一対のフランジ付止ネジ６６、６７をメインシャーシ３の水平壁部３ａの中央開口部３ｅの後端側の上部の搭載位置Ｐ３に上方から捩じ込んで取り付けるようにして、そのユニットフレーム６２の後端部６２ａをメインシャーシ３の水平壁部３ａの後端側の上部に左右一対のインシュレータ６４を介して弾性的に取り付ける。また、前端側の左右一対のインシュレータ６５の中心に上方から挿通した左右一対の止ネジ６７を昇降駆動フレーム５１の水平板部５１ａの上部の搭載位置Ｐ４に上方から捩じ込んで取り付けるようにして、そのユニットフレーム６２の前端部６２ｂを昇降駆動フレーム５１の上部に左右一対のインシュレータ１３４を介して弾性的に取り付ける。
【００３９】
以上により、光学ピックアップユニット６１がメインシャーシ３の中央開口部３ｅ内で、メインシャーシ３の水平壁部３ａの後端側と、昇降駆動フレーム５１との上部間に跨がるようにして合計４つのインシュレータ６４、６５を介して弾性的に取り付けられる。
そして、昇降駆動フレーム５１の矢印ｅ、ｆ方向の昇降駆動によつて、光学ピックアップユニット１３１が後端側の左右一対のインシュレータ６４を回動支点として、矢印ｇ、ｈ方向にスイング運動によって昇降駆動することができるように組立てられる。
【００４０】
次に、図３３及び図３４に示すように、ディスクトレー７をメインシャーシ３の前端開放部３ｄから水平壁部３ａの上部の左右両側位置に矢印ａ方向から水平状に挿入して取り付ける。
この際、ディスクトレー７はＡＢＳ等の合成樹脂によって成形されていて、水平状のトレー本体７ａの前端に垂直状で横長形状のトレーフロントパネル７ｂが一体に結合されている。そして、トレー本体７ａの前端側の上部にほぼ円形状の凹所７ｃが形成されていて、その凹所７ｃの中央部から後端部７ｄ側に向けてトレーセンターに沿った大型の長穴である底面開口部７ｅが形成されている。また、後端部７ｄの一側部には後述するスレッド移動機構８１のスレッド駆動モータ８２に対する逃げ用の切欠き部７ｆが形成されている。そして、トレー本体７ａは前後方向（矢印ａ、ｂ方向）に対して直角な方向の断面形状が下向きの浅いほぼコ字状に形成されていて、そのトレー本体７ａの左右両側で、最下端位置に沿って左右一対の平行状のガイドレール部７ｇが一体成形されている。
【００４１】
そこで、このディスクトレー７の左右一対のガイドレール部７ｇをメインシャーシ３の左右一対の垂直壁部３ｂの内側で、水平壁部３ａの左右両側位置上に形成されている左右一対のガイド溝部３ｈ内に矢印ａ方向に水平状に挿入する。すると、ディスクトレー７がローディングギアユニット２２及びスライドカム４１の上部を左右方向に跨ぐようにして、メインシャーシ３内に矢印ａ方向に水平状に挿入されて取り付けられる。
そして、メインシャーシ３内に矢印ａ方向から挿入されたディスクトレー７の下面に形成されている後述するラック及びガイド溝がローディングギアユニット２２の全周ギア２７とスライドカム４１のガイドピン４６の１つに噛合及び挿入されることになる。
【００４２】
次に、図３４及び図３５に示すように、メインシャーシ３の左右一対の垂直壁部３ｂに水平状に折り曲げ加工されている左右一対のディスククランパーユニット取付け部３ｉの上部に、ディスククランパーユニット９１のディスククランパー支持フレーム９２の左右両端部９２ａを水平状に載置して、左右各一対の位置決めピン９３と止ネジ９４によって位置決めしてネジ止めする。そして、ディスククランパー支持フレーム９２の中央部に形成されている円形凹所９５内に合成樹脂で成形された円板状のディスククランパー９６が挿入されて、このディスククランパー９６が円形凹所９５内に回転自在及び上下方向に移動自在となるように遊びを有する状態で水平状に支持されている。そして、ディスククランパー９６が光学ピックアップユニット６１のスピンドルモータ６８の真上位置に遊びを有する状態で水平状に架設されている。
【００４３】
そして、次に、図３６に示すように、鉄板等の薄手の板金で下向きのほぼコ字状にプレス加工されている上カバー５をメインシャーシ３の左右一対の垂直壁部３ｂ及び後端の垂直壁部３ｃの外側に被せるようにして、その上カバー５をメインシャーシ３に上方から嵌め込んで、その上カバー５をメインシャーシ３に係止爪構造やネジ止め等によって取り付ける。
そして、最後に、図２７及び図２８に示すように、合成樹脂で成形されているフロントパネル４をメインシャーシ３の左右一対の垂直壁部３ｂの前端部の外側及び上カバー５のコ字状の前端部の外側に嵌め込んで複数の係止部（図示せず）によって係止すれば、図２８に示された光ディスクドライブ装置１の組立てが完了する。
【００４４】
ところで、この光ディスクドライブ装置１は、ディスク状記録媒体である光ディスクＤのローディング時には、図２７に示すように、光ディスクドライブ装置本体２外に矢印ｂ方向にイジェクトされているディスクトレー７の凹所７ｃ内に光ディスクＤを水平状に載置する。そして、ディスクトレー７のトレーフロントパネル７ｂを矢印ａ方向に軽く押すと、ローディングスイッチがＯＮされて、ローディング機構２１のローディングモータ３０が正回転駆動されて、ローディングギアユニット２２の全周ギア２７が正回転駆動される。
すると、全周ギア２７によってディスクトレー７の後述する直線ラック１６が駆動されて、図１６及び図２８に示すように、ディスクトレー７が光ディスクドライブ装置本体２内の矢印ａ方向にローディングされ、図１又は図４に示すように、前述したトレーフロントパネル７ｂのトレー引き込み位置規制用リブ１７８がフロントパネル４の前面４ｂに当接されて、ディスクトレー７の引き込み位置が機械的に高精度に規制される。そして、光ディスクＤが光学ピックアップユニット６１のスピンドルモータ６８の真上位置に高精度に位置決めされる。
【００４５】
そして、ディスクトレー７のローディングが完了すると、全周ギア２７がディスクトレー７の直線ラック１６から外れて、スライドカム４１のラック４５がローディング機構２１の扇形ギア２８に噛合され、図２１及び図２２に示すように、この扇形ギア２８によってスライドカム４１が矢印ｄ方向にスライド駆動される。
【００４６】
すると、スライドカム４１の左右一対のカム溝４７によって昇降駆動フレーム５１の左右一対のカム従動ピン５４が上昇駆動されて、図１４に示すように、昇降駆動フレーム５１が左右一対の支点ピン５２を中心に矢印ｅ方向に回動駆動されて、光学ピックアップユニット６１が後端側の左右一対のインシュレータ６４を中心にして矢印ｇ方向に上昇されて、光学ピックアップユニット６１のスピンドルモータ６８の上端のディスクテーブル６９上に光ディスクＤがディスククランパー９６によってチャッキングされて、その光ディスクＤがディスクトレー７の凹所７ｃの上方に水平状に浮上される。そして、この時点でローディングモータ３０が自動停止する。
【００４７】
そして、ホストコンピュータからの記録及び／又は再生の指令信号が入力されて、後述するスピンドルモータ６８によって光ディスクＤが回転駆動され、光学ピックアップユニット６１の光学ピックアップ７１によって光ディスクＤのデータの記録及び／又は再生が行われる。
【００４８】
そして、光ディスクＤのデータの記録及び／又は再生の終了後に、イジェクト釦９が押されると、ローディングモータ３０が逆回転駆動されて、ローディングギアユニット２２の全周ギア２７及び扇形ギア２８が逆回転駆動される。
すると、図２４及び図２５に示すように、ローディング時の逆動作で、スライドカム４１が矢印ｃ方向にスライド駆動されて、図１５に示すように、昇降駆動フレーム５１が矢印ｆ方向に回動駆動されて、光学ピックアップユニット６１が矢印ｈ方向に下降駆動される。そして、ディスクテーブル６９がディスククランパー９６から下方へ離脱されて、光ディスクＤがディスクトレー７の凹所７ｃ内に載置される。そして、この後、ローディングギアユニット２２の全周ギア２７によってディスクトレー７が図２７に示すように、矢印ｂ方向にイジェクトされて、光ディスクＤが光ディスクドライブ装置本体２外へ取り出されるように構成されている。
【００４９】
ところで、図１６〜図２０、図３３に示すように、ディスクトレー７はＡＢＳ樹脂等の合成樹脂によって成形されていて、水平状のトレー本体７ａの前端に垂直状で横長形状のトレーフロントパネル７ｂが一体に結合されている。そして、トレー本体７ａの前端側の上部にほぼ円形状の凹所７ｃが形成されていて、その凹所７ｃの中央部から後端部７ｄ側に向けてトレーセンターに沿った大型の長穴である底面開口部７ｅが形成されている。また、後端部７ｄの一側部には後述するスレッド移動機構８１のスレッド駆動モータ８２に対する逃げ用の切欠き部７ｆが形成されている。そして、トレー本体７ａは前後方向（矢印ａ、ｂ方向）に対して直角な方向の断面形状が下向きの浅いほぼコ字状に形成されていて、そのトレー本体７ａの左右両側で、最下端位置に沿って左右一対の平行状のガイドレール部７ｇが一体成形されている。そして、このディスクトレー７の後端部７ｄで、他方の側部側に偏位された位置には弾性アーム部７ｉが一体成形されている。
【００５０】
そして、このディスクトレー７の底面で、左側（図１７で矢印ｃ方向側を言う）のガイドレール部７ｇの下面に沿ってトレーセンターと平行な矢印ａ、ｂ方向の直線ガイド溝部１５が一体成形されていて、その直線ガイド溝部１５がの右横（図１７で矢印ｄ方向側の横位置を言う）に沿って直線ラック１６と直線ガイド溝部１７が平行状に一体成形されている。なお、直線ガイド溝部１７の前端側（図１７で矢印ｂ方向側を言う）にはほぼ４５°に傾斜された傾斜ガイド溝部１８を介して直角状に屈曲された直角ガイド溝部１９が一体に接続された形状に一体成形されている。また、ディスクトレー７の底面で右側（図１７で矢印ｄ方向側を言う）の位置には傾斜ガイド溝部１８及び直角ガイド溝部１９と同じ形状で、かつ、同一位相状態の傾斜ガイド部１８ａと直角ガイド溝部１９ａが一体成形されていて、その傾斜ガイド部１８ａの後端（図１７で矢印ａ方向側の端部を言う）は開放部１８ｂによって開放されている。
【００５１】
そして、図１６及び図２０に示すように、このディスクトレー７はメインシャーシ３の前端開放部３ｄから左右一対のガイド溝部３ｈ内に左右一対のガイドレール部７ｇを矢印ａ方向に挿入させるようにして、そのメインシャーシ３の水平壁部３ａ上に水平状に挿入されている。
そして、前述したように、板金でプレス加工されているメインシャーシ３の左右一対のガイド溝部３ｈは水平壁部３ａの左右両端と、左右一対の垂直壁部３ｂと、その左右一対の垂直壁部３ｂから内側に水平状に切り起された複数の突片３ｊとによってコ字状に囲まれた左右対称状の空間内に形成されている。従って、これら左右一対のガイド溝部３ｈの内側対向部は開放部３ｈによって開放されている。
【００５２】
そして、メインシャーシ３の水平壁部３ａの左側の端部（図２０で左側の端部を言う）上に絞り加工等にて一体に形成された副数個（例えば３個）のガイドピン部３ｍが矢印ａ、ｂ方向に沿った一列状に配置されている。そして、この複数のガイドピン部３ｍによってディスクトレー７の左側のガイドレール部７ｇを案内する片側ガイド機構が構成されていて、この片側ガイド機構によってディスクトレー７がメインシャーシ３に対して矢印ａ、ｂ方向にスムーズにスライドできるように構成されている。
なお、ディスクトレー７の矢印ａ方向へのローディング完了時点では、このディスクトレー７の弾性アーム部７ｉがメインシャーシ３の後端垂直壁部３ｃに矢印ａ方向から弾性に抗して押圧されて停止されるように構成されている。
【００５３】
また、図１２〜図１５に示すように、光学ピックアップユニット６１は板金でプレス加工されたユニットフレーム６２の前端部６２ｂ側位置にスピンドルモータ６８が下方からのビス止め方式によって垂直状に固着されていて、そのスピンドルモータ６８のロータの上端に一体に形成されて回転駆動されるディスクテーブル６９がユニットフレーム６２の上方の所定高さ位置に配置されている。
【００５４】
そして、ピックアップ手段である光学ピックアップ７１はスレッド７２に搭載されていて、このスレッド７２には対物レンズが２軸アクチュエータ７３によって上向きの垂直状に取り付けられている。そして、このスレッド７２はユニットフレーム６２のほぼ中央部に沿って形成された中央開口部７５内に配置されていて、ユニットフレーム６２の下面に平行状に取り付けられたステンレス等の金属製の左右一対のガイド軸であるガイド主軸７６とガイド副軸７７によって案内されて矢印ａ、ｂ方向に水平移動（シーク動作）されるように構成されている。そして、スピンドルモータ６８及び対物レンズ７３はトレーセンターと同一位相のスキャニングセンターＰo 上に配置されている。なお、スレッド７２はガイド主軸７６の外周に一対のスラスト軸受７２ａによって遊び（ガタツキ）の全くない状態にスライド自在に挿通されていて、ガイド副軸７７に対してはＵ型溝７２ｂによって遊びを有する状態にスライド自在に係合されている。
【００５５】
そして、この光学ピックアップユニット６１にはスレッド移動機構８１が取り付けられている。このスレッド移動機構８１はユニットフレーム６２の右側端部（図１２で矢印ｄ方向側の端部を言う）に沿ってガイド主軸７６と平行状に取り付けられていて、スレッド駆動モータ８２と、合計４枚の減速ギアで構成されたギアトレイン８３とを有していて、そのギアトレイン８３の最終段の出力ギアがピニオン８４に構成されていて、そのピニオン８４がスレッド７２の右側端部に固着されてスキャニングセンターＰo と平行状に配置されたラック８５に噛合されている。そして、スレッド駆動モータ８２によってギアトレイン８３を介してピニオン８４を正逆回転駆動することにより、そのピニオン８４でラック８５を介してスレッド７２をガイド主軸７６及びガイド副軸７７に沿って矢印ａ、ｂ方向にシーク駆動されるように構成されている。
【００５６】
そして、前述したように、ユニットフレーム６２の前後両端部６２ａ、６２ｂには、そのユニットフレーム６２の左右両側面６２ｃから切り込まれた合計４つのほぼΩ形状のインシュレータ嵌合部６３が形成されている。そして、ゴム等の弾性部材によってほぼダルマ形状に成形されている合計４つのインシュレータ６４、６５が、これらの上下軸方向のほぼ中央部分に形成されている環状凹部６４ａ、６５ａによってユニットフレーム６２の合計４つのインシュレータ嵌合部６３に左右両側方から弾性に抗して水平状に挿入されて嵌合されている。そして、これらのインシュレータ６４、６５の中空部に上方から垂直状に挿通された合計４つのフランジ付止ネジ６６、６７をメインシャーシ３の水平壁部３ａの後端部と昇降駆動フレーム５１に上方から捩じ込んで垂直状に取り付けることによって、このユニットフレーム６２の後端部６２ａと前端部６２ｂがメインシャーシ３の水平壁部３ａの後端部分の上部と、昇降駆動フレーム５１の上部とにその合計４つのインシュレータ６４、６５を介して弾性的（振動的に浮かされていること）に取り付けられている。
【００５７】
そして、図１４及び図１５に示すように、昇降駆動フレーム５１が左右一対の支点ピン５２を中心にメインシャーシ３に対して上下方向である矢印ｅ、ｆ方向に回転駆動されることによって、ユニットフレーム６２が上昇されて水平となる上昇位置と斜め前方下方に傾斜された下降位置との間で後端部６２ａの左右一対のインシュレータ６４部分を回動支点にしてメインシャーシ３に対して矢印ｇ、ｈ方向に上下方向に回転駆動されるように構成されている。
【００５８】
また、図２１〜図２６に示すように、ローディング機構２１のローディングギアユニット２２は前述したようにローディングモータ３０によって入力プーリ２３、ゴムベルト２４、ギア付プーリ２５及び中間ギア２６を介して正逆回転駆動される上下２段の出力ギアである全周ギア２７と、扇形ギア２８を備えている。但し、ギア付プーリ２５、中間ギア２６、上下２段に重ねられている全周ギア２７及び扇形ギア２８は水平壁部３ａ上に垂直状に固着されている３本の支軸３１、３２、３３の外周に取り付けられている。そして、ディスクトレー駆動機構３４が全周ギア２７とディスクトレー７の直線１６とによって構成され、光学ピックアップユニット駆動機構３５が扇形ギア２８とスライドカム４１のラック４５とによって構成され、ディスクトレー駆動機構３４と光学ピックアップユニット駆動機構３５との駆動状態を順次自動的に切り替える差動機構３６がディスクトレー７の直線ガイド溝部１７、傾斜ガイド溝部１８、１８ａ及び直角ガイド溝部１９、１９ａとスライドカム４１の左右一対のガイドピン４６とによって構成されている。なお、図２１〜図２６に示すように、メインシャーシ３の水平壁部３ａの前端部の上部で、全周ギア２７の下部位置には扇形ギア２８のストッパーピン３７と、扇形ギア２８の位置決め基準ピン２９が絞り加工等によって一体に成形されている。また、中間ギア２６の下段の小径ギア２６ａが全周ギア２７と扇形ギア２８に共通に噛合されている。
【００５９】
そして、図１６〜図２０に示すように、メインシャーシ３の水平壁部３ａの上部で、左右両側壁部３ｂの内側の左右一対のガイド溝部３ｈ内にディスクトレー７の左右一対のガイドレール部３ｇを水平状に挿入させるようにして、そのディスクトレー７をメインシャーシ３内に矢印ａ方向から挿入することによって、全周ギア２７が直線ラック１６に噛合され、スライドカム４１の右側のガイドピン４６が直線ガイド溝部１７内に挿入される。
【００６０】
図２２及び図２５に示すように、板金のプレス加工によってほぼＬ型に成形されているスライドカム４１の垂直板部４１ｂには左右一対のカム溝４２が平行状に形成されていて、これら左右一対のカム溝４２は水平状の上端部４２ａと、ほぼ４５°に傾斜された傾斜部４２ｂと、水平状の下端部４２ｃとによってほぼＺ形に形成されていて、上端部４２ａの先端の上部に切り欠かれた開放部４２ｄが水平板部４１ａに開放されている。
そして、図２５に示すように、昇降駆動フレーム５１の前端の左右一対のカム従動ピン５４が左右一対のカム溝４２の上端の開放部４２ｄを通して上端部４２ａ内に水平状に挿入されている。
【００６１】
ここで、ローディング機構２１の動作について説明すると、まず、ディスクトレー７がメインシャーシ３外へ矢印ｂ方向にイジェクトされたイジェクトエンド状態では、前述したようにストッパー機構１０１によって停止されていて、このイジェクト完了状態では、図１７に１点鎖線で示す位置にてローディングギアユニット２２の全周ギア２７が直線ラック１６に噛合されている。そして、このイジェクト完了状態では、図２４〜図２６に示すように、扇形ギア２８が矢印ｉ方向に回転されて停止されていて、この扇形ギア２８がその入力側のギアである中間ギア２５の下段の小径ギア２６ａから矢印ｉ方向に離脱されている。そして、このイジェクト完了状態では、扇形ギア２８によってスライドカム４１がラック４５を介して駆動されて、矢印ｃ方向にスライドされている。そして、このスライドカム４１の矢印ｃ方向へのスライドによって、昇降駆動フレーム５１の左右一対のカム従動ピン５４がそのスライドカム４１の左右一対のカム溝４２の上端部４２ａから傾斜部４２ｂを経て下端部４２ｃまで矢印ｆ方向に下降され、図１５に示すように、光学ピックアップユニット６１が後端部の左右一対のインシュレータ６４部分を回動支点にして下降位置まで矢印ｈ方向に下降されている。
【００６２】
そこで、前述したように、ディスクトレー７の凹所７ｃ内に光ディスクＤを水平状に載置した後に、トレーフロントパネル７ａが後方である矢印ａ方向に軽く押されてローディングスイッチがＯＮされると、ローディングモータ３０が正回転駆動されて、図２１〜図２３に示すように、ローディングギアユニット２２の中間ギア２６が矢印ｊ方向に正回転駆動されて、その下段の小径ギア２６ａによって全周ギア２７が矢印ｋ方向に正回転駆動される。
この際、全周ギア２７と扇形ギア２８が１つの支軸３３の外周に挿入されて水平壁部３ａ上に上下２段に重ねられている関係で、矢印ｋ方向に正回転駆動される全周ギア２７の摩擦トルクによって扇形ギア２８も矢印ｋ方向に従動回転されようとするが、図１７に１点鎖線で示すように、スライドカム４１の左側のガイドピン４６がディスクトレー７の直線ガイド溝部１７内に係合されているために、ラック４５を介してその扇形ギア２８の矢印ｋ方向の回転が禁止されている。従って、この時点では、全周ギア２７のみが矢印ｋ方向に回転駆動される。
【００６３】
つまり、この時点では、図１７に示した差動機構３６によってディスクトレー駆動機構３４側がＯＮとなり、光学ピックアップ駆動機構３５側がＯＦＦとなるように切り替えられている。
そして、ディスクトレー駆動機構３４を構成している全周ギア２７によってディスクトレー７の直線ラック１６が矢印ａ方向に駆動されて、ディスクトレー７がメインシャーシ３の外部のイジェクト完了位置から、図１６に示すローディング完了位置まで矢印ａ方向に引き込まれて、ディスクトレー７の凹所７ｃ内に水平状に載置されている光ディスクＤがスピンドルモータ６８の真上位置まで矢印ａ方向に取り込まれて、ディスクトレー７のローディング動作が終了して、ローディングエンドとなる。
【００６４】
そして、そのディスクトレー７のローディング動作の終了直前に、図１７に示されている差動機構３６を構成しているスライドカム４１の左側のガイドピン４６がディスクトレー７の直線ガイド溝部１７内から傾斜ガイド溝部１８内に矢印ｂ方向に相対的に入り込む。また、この時、スライドカム４１の右側のガイドピン４６もディスクトレー７の右側の傾斜ガイド溝部１８ａ内に開放部１８ｂから矢印ｂ方向に相対的に入り込む。そして、これとほぼ同時に、図１７に２点鎖線で示すように、全周ギア２７が直線ラック１６から矢印ｂ方向に相対的に離脱して、以後、全周ギア２７は空回りすることになる。
すると、この時の左右一対の傾斜ガイド溝部１８、１８ａとガイドピン４６とによるカム作用によって、左右一対のガイドピン４６を介してスライドカム４１が図２４の位置から矢印ｄ方向に少しスライド駆動されて、そのスライドカム４１のラック４５によって扇形ギア２８が矢印ｋ方向に少し回転駆動され、その扇形ギア２８が中間ギア２６の下段の小径ギア２６ａに矢印ｋ方向から噛合される。
【００６５】
すると、この時点で、図１７に示した差動機構３６によってディスクトレー駆動機構３４側がＯＦＦとなり、光学ピックアップ駆動機構３５側がＯＮとなるように駆動状態が自動的に切り替えられる。
そして、中間ギア２６の小径ギア２６ａによって、全周ギア２７を空回ししながら、扇形ギア２８が図２２で矢印ｋ方向に回転駆動される。すると、図２１〜図２３に示すように、扇形ギア２８によってラック４５を介してスライドカム４１が矢印ｄ方向に所定のストローク分スライド駆動され、昇降駆動フレーム５１の左右一対のカム従動ピン５４がスライドカム４１の左右一対のカム溝４２の下端部４２ｃから傾斜部４２ｂを経て上端部４２ａまで矢印ｅ方向に上昇駆動される。そして、図１４に示すように、昇降駆動フレーム５１が左右一対の支点ピン５２を中心に下降位置から上昇位置まで矢印ｅ方向に上昇駆動されて、光学ピックアップユニット６１が後端部の左右一対のインシュレータ６４を回動支点にして下降位置から上昇位置まで矢印ｇ方向に上昇駆動されて、この光学ピックアップユニット６１が水平状態になる。
【００６６】
すると、スピンドルモータ６８のディスクテーブル６９がディスクトレー７の凹所７ｃ内の光ディスクＤの中心孔Ｄａに下方から嵌合されて、この光ディスクＤを凹所７ｃ内で上方に少し持ち上げて浮かせる。そして、これとほぼ同時に、ディスククランパー９６が光ディスクＤに上方から圧着されて、光ディスクＤがディスクテーブル６９上に水平状にチャッキング（マグネットチャッキング）される。
そして、この時点で光ディスクＤの一連のローディング動作が完了して、ローディング完了検出スイッチによってローディングモータ３０が自動停止される。
【００６７】
なお、図１６に示すように、ディスクトレー７のメインシャーシ３内への矢印ａ方向のローディング動作の完了時点で、そのディスクトレー７の後端部７ｄの弾性アーム部７ｉがメインシャーシ３の後端垂直壁部３ｃに矢印ａ方向から弾性に抗して圧着される。そして、この後に、前述したように、扇形ギア２８によってスライドカム４１が矢印ｄ方向にスライド駆動されることによって、図１７に２点鎖線で示すように、スライドカム４１の左右一対のガイドピン４６が左右一対の傾斜ガイド溝部１８、１８ａから直角ガイド溝部１９、１９ａの奥位置まで矢印ｄ方向に入り込んで、ディスクトレー７が完了停止され、その弾性アーム部７ｉの弾性反発力によってディスクトレー７が左右一対のガイドピン４６に対するガタツキの全くない状態に高精度に位置決めされることになる。
【００６８】
そして、スピンドルモータ６８のディスクテーブル６９上への光ディスクＤのチャッキング完了後に、ホストコンピュータから記録及び／又は再生の指令信号が入力されると、図１４及び図１６に示すように、光学ピックアップユニット６１のスピンドルモータ６８によって光ディスクＤが高速で回転駆動されると共に、光学ピックアップ７１の対物レンズ７３から上向きの垂直状に出射されたレーザビームのスポットが光ディスクＤの下面に収束される。そして、スレッド移動機構８１のスレッド駆動モータ８２の正逆回転駆動によってギアトレイン８３のピニオン８４が正逆回転駆動され、ラック８５を介してスレッド７２がガイド主軸７６とガイド副軸７７で案内されて、矢印ａ、ｂ方向に駆動されて、対物レンズ７３が光ディスクＤの内外周方向にシーク駆動されて、光ディスクＤに対するデータの記録及び／又は再生が行われる。
【００６９】
なお、光ディスクＤのデータ記録及び／又は再生後の光ディスクＤのイジェクト時には、フロントパネル４のイジェクト釦９を押す。すると、前述した光ディスクＤのローディング動作の逆動作が実行される。
即ち、ローディング機構２１のローディングモータ３０が逆回転駆動されて、図２１に示すように、ローディングギアユニット２２の中間ギア２６が矢印ｍ方向に逆回転駆動されて、その小径ギア２６ａによって扇形ギア２８及び全周ギア２７が矢印ｉ方向に逆回転駆動される。この時、全周ギア２７は空回りし、扇形ギア２８がラック４５を介してスライドカム４１を矢印ｃ方向に駆動して、図２４及び図２５に示すように、スライドカム４１が矢印ｃ方向にスライド駆動される。
【００７０】
すると、図１５に示すように、昇降駆動フレーム５１が左右一対の支点ピン５２を中心に下降位置まで矢印ｆ方向に下降駆動されて、光学ピックアップユニット６１が後端部の左右一対のインシュレータ６４を回動支点にして下降位置まで矢印ｈ方向に下降駆動される。すると、光ディスクＤがディスクテーブル６９及びディスククランパー９６からチャッキング解除されて、その光ディスクＤがディスクトレー７の凹所７ｃ上に落し込まれて水平状に載置される。
【００７１】
そして、図２４に示すように、スライドカム４１が矢印ｃ方向に所定のストローク分スライド駆動された時に、扇形ギア２８が中間ギア２６の小径ギア２６ａから離脱されて停止され、以後、その小径ギア２６ａによって全周ギア２７のみが矢印ｉ方向に逆回転駆動される。
そして、スライドカム４１が矢印ｃ方向にスライド駆動されると、図１７に示す差動機構３６の左右一対のガイドピン４６がディスクトレー７の左右一対の直角ガイド溝部１９、１９ａから傾斜ガイド溝部１８、１８ａを経て直線ガイド溝部１７及び開放部１８ｂへ至る。すると、左右一対のガイドピン４６と左右一対の傾斜ガイド溝部１８、１８ａによるカム作用によって、ディスクトレー７が矢印ｂ方向に少しスライド駆動されて、ディスクトレー７の直線ラック１６が図１７に１点鎖線で示されている全周ギア２７に自動的に噛合される。
【００７２】
すると、この後の全周ギア２７の引き続きの矢印ｊ方向への逆回転駆動によって直線ラック１６が駆動されて、ディスクトレー７が矢印ｂ方向にスライド駆動されて、このディスクトレー７がメインシャーシ３内から矢印ｂ方向にイジェクトされる。そして、ディスクトレー７がストッパー機構（図示せず）によって停止されるイジェクトエンド位置までイジェクトされた時に、イジェクト完了検出スイッチ（図示せず）がＯＮされてローディングモータ３０が自動停止される。
【００７３】
以上、本発明の実施の形態について説明したが、本発明は上記した実施の形態に限定されることなく、本発明の技術的思想に基づいて各種の変更が可能である。例えば、本発明は光ディスク以外の光磁気ディスクその他の各種のディスク状記録媒体を記録及び／又は再生する各種のディスクドライブ装置に適用可能である。
【００７４】
【発明の効果】
以上のように構成された本発明のディスクドライブ装置の請求項１は、合成樹脂で射出成形されたトレー本体の前端の垂直状の嵌合壁部の外側に、合成樹脂で射出成形されたトレーフロントパネルの後面のほぼコ字状の嵌合枠部を上方から嵌合させるだけで、その嵌合枠部の上部及び左右両側部の後端部分の内側の複数の嵌合係止部が下方に開放された複数の中空部を介して嵌合壁部の上部及び左右両側部の後側に嵌合されると共に、トレーフロントパネルの後面の下部の複数の係止部が嵌合壁部の下側に係止されて、トレーフロントパネルをトレー本体の前面にワンタッチで脱着可能に組み付けることができるので、ディスクトレーの組立てが容易であり、コストダウンを図ることができる。
そして、ローディング完了状態では、ディスクトレーのトレーフロントパネルの後面の嵌合枠部の上部と両側部の外側に沿ってほぼコ字状に形成されているディスクトレー引き込み位置規制用リブをディスクドライブ装置本体のフロントパネルのトレー出入口の外周の前面の上部及び左右両側部にほぼコ字状に当接密着させることにより、ディスクトレーの引き込み位置を機械的に高精度に規制することができるので、ディスク状記録媒体のスピンドルモータに対するチャッキングをミスなく行える。
しかも、トレーフロントパネルの後面の下端縁に沿って接着又はディスクドライブ装置本体のフロントパネルにおけるトレー出入口の外周の前面の下端縁に沿って接着された弾性部材は、ローディング完了状態で、ディスクドライブ装置本体のフロントパネルの前面の下端縁と、ディスクトレーのトレーフロントパネルの後面の下端縁との間で弾性に抗して圧縮されて、複数のスライドコア抜き取り用切欠き部の下端（合成樹脂によるトレーフロントパネルの射出成形時に、トレーフロントパネルの後面の嵌合枠部の上部及び左右両側部の後端部分の内側に複数のスライドコアによってアンダーカットされた複数の中空部を介して複数の嵌合係止部を垂直状に一体成形するための、その複数のスラドコアの垂直下方への抜き取りによって嵌合枠部の内側に垂直状に成形されて下方に開放されている複数のスライドコア抜き取り用切欠き部の下端）を閉塞するので、その複数のスライドコア抜き取り用切欠き部からトレー出入口内への外気の流入を防止することができるので、ディスク状記録媒体の記録及び／又は再生中に外気中の塵埃等がディスク状記録媒体等に付着してドロップアウトを招くようなことを未然に防止することができて、その記録及び／又は再生の特性を著しく向上させることができる。
【００７５】
本発明のディスクドライブ装置の請求項２は、ほぼ角柱形状の弾性部材を両面テープによってトレーフロントパネルの後面の下端縁に沿って接着又はディスクドライブ装置のフロントパネルのトレー出入口の外周の前面の下端縁に沿って接着するようにしたので、その弾性部材の接着の作業性が非常に良く、コストダウンを図ることができる。
【００７６】
本発明のディスクドライブ装置の請求項３は、１枚の剥離紙上に１枚の両面テープで接着された弾性部材基体をカッターによってその両面テープと共に一定間隔で平行状にカットすることによってほぼ角柱形状に形成された複数本の弾性部材が１枚の剥離紙上にそれぞれ両面テープによって接着されている構造の納品形態を提供するので、金型で成形する従来の環状弾性体に比べて、弾性部材の製造費用を１／３〜１／４の低価格で、安価に製造することができ、金型費用も不要となる等、製造（加工）コストを大幅にダウンすることができる。しかも、納品された弾性部材基体から弾性部材を１本ずつ剥離して、トレーフロントパネル等に順次両面テープによって接着すれば良いので、組立ての作業性が非常に良い。しかも、廃棄する無駄な部材も全く発生しないことから、極めて高い経済性を実現できる。そして、剥離紙上の弾性部材基体をカッターによって平行状にカットして、複数本の弾性部材を作成する方法は、その作成時間を非常に短くすることができて、リードタイムを短くできるので、在庫を少なく管理することができる。
【図面の簡単な説明】
【図１】  本発明を適用した光ディスクドライブ装置におけるディスクトレー引き込み位置を機械的に高精度に規制する構造及びトレー出入口の密封構造の第１の実施の形態を説明するトレーフロントパネルとトレー本体の嵌合構造、フロントパネルのトレー出入口及び弾性部材の要部を拡大して示した断面側面図である。
【図２】  図１のＩ−Ｉ矢視での背面図である。
【図３】  同上のトレーフロントパネルの背面図である。
【図４】  図３のＪ−Ｊ矢視での下面図である。
【図５】  同上のトレー出入口の密封構造の第２の実施の形態を説明する要部を拡大して示した断面側面図である。
【図６】  同上のトレー出入口の密封構造に使用される弾性部材の納品形態を説明する斜視図である。
【図７】  図６のＫ−Ｋ矢視での拡大断面図である。
【図８】  同上のトレーフロントパネルのスライドコアによるアンダーカット加工を説明する背面図である。
【図９】  図８のＬ−Ｌ矢視での下面図である。
【図１０】  トレー本体の前面へのトレーフロントパネルの組み付け構造の要部を拡大して示した断面側面図である。
【図１１】  同上のトレー本体の前面へのトレーフロントパネルの組み付け完了状態を示した断面側面図である。
【図１２】  本発明を適用した光ディスクドライブ装置の実施の形態における光学ピックアップユニット部分の平面図である。
【図１３】  図１２の底面図である。
【図１４】  図１２のＡ−Ａ矢視での側面図であって、光学ピックアップユニットの上昇状態を示した図面である。
【図１５】  図１２のＡ−Ａ矢視での側面図であって、光学ピックアップユニットの下降状態を示した図である。
【図１６】  メインシャーシ内にディスクトレーがローディングされた状態を示した平面図である。
【図１７】  ディスクトレーの底面図である。
【図１８】  図１７のＢ−Ｂ矢視での断面図である。
【図１９】  図１７のＣ−Ｃ矢視での断面図である。
【図２０】  図１７のＤ−Ｄ矢視での断面図である。
【図２１】  ローディング機構における光学ピックアップユニットの上昇時におけるスライドカム、昇降駆動フレーム及びローディングギアユニットの位置関係を示した平面図である。
【図２２】  図２１のＥ−Ｅ矢視での断面図である。
【図２３】  図２１のＦ−Ｆ矢視での断面図である。
【図２４】  ローディング機構における光学ピックアップユニットの下降時におけるスライドカム、昇降駆動フレーム及びローディングギアユニットの位置関係を示した図面である。
【図２５】  図２４のＧ−Ｇ矢視での断面図である。
【図２６】  図２４のＨ−Ｈ矢視での断面図である。
【図２７】  光ディスクドライブ装置のディスクトレーのアンローディング状態での外観を説明する斜視図である。
【図２８】  光ディスクドライブ装置のディスクトレーのローディング状態での外観を説明する斜視図である。
【図２９】  光ディスクドライブ装置のローディングギアユニットの組立てを説明する斜視図である。
【図３０】  光ディスクドライブ装置のスライドカムの組立てを説明する斜視図である。
【図３１】  光ディスクドライブ装置の昇降駆動フレームの組立てを説明する斜視図である。
【図３２】  光ディスクドライブ装置の光学ピックアップユニットの組立てを説明する斜視図である。
【図３３】  光ディスクドライブ装置のディスクトレーの組立てを説明する斜視図である。
【図３４】  光ディスクドライブ装置のディスククランパーユニットの組立てを説明する斜視図である。
【図３５】  光ディスクドライブ装置のディスククランパーの組立てを説明する斜視図である。
【図３６】  光ディスクドライブ装置の上カバーの組立てを説明する斜視図である。
【図３７】  従来のトレー出入口の密封構造の第１の例を説明する要部を拡大して示した断面側面図である。
【図３８】  同上のトレー出入口の密封構造の第１の例を説明する光ディスクドライブ装置の一部切欠き正面図である。
【図３９】  従来のトレー出入口の密封構造の第２の例を説明する要部を拡大して示した断面側面図である。
【図４０】  同上のトレー出入口の密封構造の第２の例を説明する光ディスクドライブ装置の一部切欠き正面図である。
【図４１】  同上のトレー出入口の密封構造の第２の例に使用されるほぼ額縁形状の弾性部材を説明する斜視図である。
【図４２】  同上のほぼ額縁形状の弾性部材の納品形態を説明する斜視図である。
【符号の説明】
１はディスクドライブ装置である光ディスクドライブ装置、２はディスクドライブ装置本体である光ディスクドライブ装置本体、４はフロントパネル、６はトレー出入口、７はディスクトレー、７ａはトレー本体、７ｂはトレーフロントパネル、１７１は嵌合壁部、１７４は嵌合枠部、１７５、１７６は嵌合係止部、１７７は係止部、１７８はトレー引き込み位置規制用リブ、１８１は中空部、１８２はスライドコア、１８３はスライドコア抜き取り用切欠き部、１８５は弾性部材、１８６は両面テープ、１８７は剥離紙、１８８は弾性部材基体、１８９はカット部分、Ｄはディスク状記録媒体である光ディスクである。
【図１】
0004465930.tif 000002
【図２】
0004465930.tif 000003
【図３】
0004465930.tif 000004
【図４】
0004465930.tif 000005
【図５】
0004465930.tif 000006
【図６】
0004465930.tif 000007
【図７】
0004465930.tif 000008
【図８】
0004465930.tif 000009
【図９】
0004465930.tif 000010
【図１０】
0004465930.tif 000011
【図１１】
0004465930.tif 000012
【図１２】
0004465930.tif 000013
【図１３】
0004465930.tif 000014
【図１４】
0004465930.tif 000015
【図１５】
0004465930.tif 000016
【図１６】
0004465930.tif 000017
【図１７】
0004465930.tif 000018
【図１８】
0004465930.tif 000019
【図１９】
0004465930.tif 000020
【図２０】
0004465930.tif 000021
【図２１】
0004465930.tif 000022
【図２２】
0004465930.tif 000023
【図２３】
0004465930.tif 000024
【図２４】
0004465930.tif 000025
【図２５】
0004465930.tif 000026
【図２６】
0004465930.tif 000027
【図２７】
0004465930.tif 000028
【図２８】
0004465930.tif 000029
【図２９】
0004465930.tif 000030
【図３０】
0004465930.tif 000031
【図３１】
0004465930.tif 000032
【図３２】
0004465930.tif 000033
【図３３】
0004465930.tif 000034
【図３４】
0004465930.tif 000035
【図３５】
0004465930.tif 000036
【図３６】
0004465930.tif 000037
【図３７】
0004465930.tif 000038
【図３８】
0004465930.tif 000039
【図３９】
0004465930.tif 000040
【図４０】
0004465930.tif 000041
【図４１】
0004465930.tif 000042
【図４２】
0004465930.tif 000043